(57)【特許請求の範囲】
【請求項１】
車体側に回動自在に支持された従動ピボット軸と、
基端部が上記従動ピボット軸に結合された従動アームと、
基端部が上記従動アームの先端部に回動自在に結合されたワイパアームと、
上記ワイパアームの先端部に装着され、払拭面に圧接されるワイパブレードと、
上記従動ピボット軸から離れた位置に該従動ピボット軸とは独立して車体側に回動自在に支持され、ワイパモータの動力により往復で回動する駆動ピボット軸と、
基端部が上記駆動ピボット軸に結合されているとともに、先端部が上記ワイパアームの中間部に回動自在に結合されていて、該駆動ピボット軸の回動により上記払拭面から離れた駆動ピボット軸の下方側で回動され、上記ワイパアームを駆動ピボット軸の回動方向とは反対の方向へ揺動可能な駆動アームを備えていることを特徴とするワイパ装置。
【請求項２】
駆動アームは、従動アームの回動方向と同一の方向に回動されることを特徴とする請求項１に記載のワイパ装置。
【請求項３】
駆動アームは、駆動ピボット軸からワイパアームまでが第１の長さ寸法をもち、従動アームは、従動ピボット軸からワイパアームまでが第１の長さ寸法よりも大きい第２の長さ寸法が選ばれていることを特徴とする請求項１または２に記載のワイパ装置。
【請求項４】
駆動ピボット軸から従動ピボット軸までは第２の長さ寸法に略等しい第３の長さ寸法が選ばれ、ワイパアームの駆動アームの結合部から従動アームの結合部までは第１の長さ寸法に略等しい第４の長さ寸法が選ばれていることを特徴とする請求項３に記載のワイパ装置。
【発明の詳細な説明】
【０００１】
【発明の属する技術分野】
この発明はワイパブレードで払拭面を拭うワイパ装置に関する。
【０００２】
【従来の技術】
ワイパブレードで払拭面を拭うワイパ装置としては、ワイパモータの出力軸にリンク機構を介してピボット軸が連結され、このピボット軸にワイパアームが結合され、そのワイパアームにワイパブレードが装着されているものが知られている。
【０００３】
【発明が解決しようとする課題】
上記のワイパ装置では、単一のピボット軸の往復回動により、このピボット軸を中心として往復で揺動するワイパアームにワイパブレードが装置されているため、ワイパブレードの払拭範囲は、単一のピボット軸を中心として回動するワイパアームの回動範囲に対応したものとなり、その結果、ワイパアームのピボット軸寄りに拭き残しができるという問題点があった。
【０００４】
【発明の目的】
この発明に係わるワイパ装置は、拭き残しのないワイパ装置を提供することを目的としている。
【０００５】
【発明の構成】
【０００６】
【課題を解決するための手段】
この発明の請求項１に係わるワイパ装置では、車体側に回動自在に支持された従動ピボット軸と、基端部が従動ピボット軸に結合された従動アームと、基端部が従動アームの先端部に回動自在に結合されたワイパアームと、ワイパアームの先端部に装着され、払拭面に圧接されるワイパブレードと、従動ピボット軸から離れた位置に従動ピボット軸とは独立して車体側に回動自在に支持され、ワイパモータの動力により往復で回動する駆動ピボット軸と、基端部が駆動ピボット軸に結合されているとともに、先端部がワイパアームの中間部に回動自在に結合されていて、駆動ピボット軸の回動により払拭面から離れた駆動ピボット軸の下方側で回動され、ワイパアームを駆動ピボット軸の回動方向とは反対の方向へ揺動可能な駆動アームを備えている構成としたことを特徴としている。
【０００７】
この発明の請求項２に係わるワイパ装置では、駆動アームは、従動アームの回動方向と同一の方向に回動される構成としたことを特徴としている。
【０００８】
この発明の請求項３に係わるワイパ装置では、駆動アームは、駆動ピボット軸からワイパアームまでが第１の長さ寸法をもち、従動アームは、従動ピボット軸からワイパアームまでが第１の長さ寸法よりも大きい第２の長さ寸法が選ばれている構成としたことを特徴としている。
【０００９】
この発明の請求項４に係わるワイパ装置では、駆動ピボット軸から従動ピボット軸までは、第２の長さ寸法に略等しい第３の長さ寸法が選ばれ、ワイパアームの駆動アームの結合部から従動アームの結合部までは、第１の長さ寸法に略等しい第４の長さ寸法が選ばれている構成としたことを特徴としている。
【００１０】
【発明の作用】
この発明の請求項１、２、３、４に係わるワイパ装置において、駆動アーム、従動アーム、ワイパアームは四接連鎖機構を構成している。ワイパモータの動力により駆動ピボット軸が回動すると、駆動アームが回動され、この駆動アームの回動により、従動ピボット軸に結合された従動アームがワイパアームを介して回動され、ワイパアームが駆動アームの回動方向とは反対の方向に回動されてワイパブレードで払拭面を拭う。このとき、駆動アームが払拭面から離れた駆動ピボット軸の下方側で回動されることにより、ワイパアームが駆動ピボット軸に近付きながら揺動され、その結果、ワイパブレードが払拭面の駆動ピボット軸寄りを拭う。
【００１１】
【発明の実施の形態】
【００１２】
【実施例】
図１ないし図７には、この発明に係わるワイパ装置の一実施例が示されている。
【００１３】
図示するワイパ装置１は、主として、ワイパモータ２、リンク機構３、駆動ピボット軸４、駆動アーム５、従動ピボット軸６、従動アーム７、ワイパアーム８、ワイパブレード９から構成されている。リンク機構３には、モータアーム１０、リンクコンロッド１１、ピボットアーム１２が備えられている。
【００１４】
ワイパモータ２は、ブラケット３０の下面側にねじ固定されている。このワイパモータ２は通電により出力軸２ａが回転する。出力軸２ａは、ブラケット３０の上面側に突出して配置されており、この出力軸２ａには、モータアーム１０の基端部が固定されている。
【００１５】
モータアーム１０は、その先端部に図示しない第１のボールピンが固定されており、この第１のボールピンは、リンクコンロッド１１の一端部に設けられた第１のボールリテーナ１３に球面対偶を介して結合されている。
【００１６】
リンクコンロッド１１は、ブラケット３０に形成された切欠３０ａを通じて一端部がブラケット３０の上面側に、他端部がブラケット３０の下面側にそれぞれ連続して配置されている。このリンクコンロッド１１の他端部には、図示しない第２のボールリテーナが設けられており、この第２のボールリテーナは、ピボットアーム１２の先端部に固定された図示しない第２のボールピンに球面対偶を介して結合されている。
【００１７】
ピボットアーム１２の基端部には、ブラケット３０の下面側で駆動ピボット軸４の基端部が固定されている。
【００１８】
駆動ピボット軸４は、ブラケット３０に固定された第１のピボットホルダ１４に回動可能に支持されており、その先端部がブラケット３０の上面上に突出して駆動アーム５の基端部に形成された駆動ピボット軸固定部５ｂに固定されている。
【００１９】
ワイパモータ２に通電がされることによって出力軸２ａが回転すると、モータアーム１０が回転され、リンクコンロッド１１によりモータアーム１０の回転運動がピボットアーム１２の往復回動に変換されるため、駆動ピボット軸４は、駆動アーム５を第１の位置Ａと第２の位置Ｂとのあいだで往復回動させる。このとき、駆動アーム５は、駆動ピボット軸４よりも下方であって、駆動ピボット軸４を介して払拭面５０から離れた位置で往復回動される。
【００２０】
駆動アーム５は、板状にされた駆動アーム本体５ａの基端部に駆動ピボット軸固定部５ｂが配置され、駆動アーム本体５ａの先端部に第１の枢軸１６が固定されている。駆動アーム５は、駆動ピボット軸固定部５ｂの中心から第１の枢軸１６の中心までが第１の長さ寸法Ｌ１にされている。
【００２１】
第１の枢軸１６は、ワイパアーム８に形成された第１の枢軸支持部８ａ２に回動自在に結合されている。
【００２２】
従動ピボット軸６は、ブラケット３０に固定された第２のピボットホルダ１５に回動可能に支持されており、その先端部がブラケット３０の上面上に突出して従動アーム７の基端部に形成された従動ピボット軸固定部７ｂに固定されている。従動ピボット軸６は、駆動ピボット軸４とは異なり、ワイパアーム２の動力を受けて回動するものではないが、従動アーム７を介してワイパアーム２に連結されているため、ワイパアーム２の動きに対応して従動アーム７を第３の位置Ｃと第４の位置Ｄとのあいだで往復回動させる。
【００２３】
従動アーム７は、板状にされた従動アーム本体７ａの基端部に従動ピボット軸固定部７ｂが配置され、従動アーム本体７ａの先端部に第２の枢軸１７が固定されている。従動アーム７は、従動ピボット軸固定部７ｂの中心から第２の枢軸１７の中心までが第２の長さ寸法Ｌ２にされている。第２のピボットホルダ１５に支持されている従動ピボット軸６と第１のピボットホルダ１４に支持されている駆動アーム４との間は長さ寸法Ｌ３にされている。
【００２４】
第２の枢軸１７は、ワイパアーム８に形成された第２の枢軸支持部８ａ３に回動自在に結合されている。
【００２５】
ワイパアーム８には、アームヘッド８ａ、リテーナ８ｂ、アームピース８ｃ、図示しないアームスプリングが備えられている。
【００２６】
アームヘッド８ａには、角棒形のアームヘッド本体８ａ１のほぼ中央部に第１の枢軸支持部８ａ２が形成されているとともに、アームヘッド本体８ａ１の基端部に第２の枢軸支持部８ａ３が形成されており、アームヘッド本体８ａ１の先端部にリテーナ結合部８ａ４が形成されている。第１の枢軸支持部８ａ２と第２の枢軸支持部８ａ３とは長さ寸法Ｌ４にされている。
【００２７】
第１の枢軸支持部８ａ２には、駆動アーム５の先端部の第１の枢軸１６が回動自在に結合され、第２の枢軸支持部８ａ３には、従動アーム７の先端部の第２の枢軸１７が回動自在に結合されているため、駆動ピボット軸４から第１の枢軸１６までの駆動アーム５の長さ寸法Ｌ１と、従動ピボット軸６から第２の枢軸１７までの従動アーム７の長さ寸法Ｌ２と、駆動ピボット軸４から従動ピボット軸６までの長さ寸法Ｌ３と、アームヘッド８ａの第１の枢軸１６から第２の枢軸１７までの長さ寸法Ｌ４からなる四接連鎖機構が形成されている。
【００２８】
四接連鎖機構では、駆動ピボット軸４から第１の枢軸１６までの駆動アーム５の長さ寸法Ｌ１が、従動ピボット軸６から第２の枢軸１７までの従動アーム７の長さ寸法Ｌ２および駆動ピボット軸４から従動ピボット軸６までの長さ寸法Ｌ３よりも小さくされていて、アームヘッド８ａの第１の枢軸１６から第２の枢軸１７までの長さ寸法Ｌ４に略同一にされている。また、従動ピボット軸６から第２の枢軸１７までの従動アーム７の長さ寸法Ｌ２が、駆動ピボット軸４から従動ピボット軸６までの長さ寸法Ｌ３に略同一にされている。
【００２９】
リテーナ結合部８ａ４には、リテーナ８ｂの基端部に形成されたアームヘッド結合部８ｂ２が回動自在に結合されている。リテーナ８ｂには、ヘ字形に折り曲げられたリテーナ本体８ｂ１の基端部にアームヘッド結合部８ｂ２が配置され、リテーナ本体８ｂ１の先端部にアームピース結合部８ｂ３が形成されている。リテーナ８ｂは、アームヘッド８ａに対し、払拭面５０から離れる方向および払拭面５０に近付く方向に回動される。
【００３０】
アームピース結合部８ｂ３には、アームピース８ｃの基端部がリベット止め等の結合手段により結合されている。アームピース８ｃの先端部には、ワイパブレード９の中央部が装着されている。
【００３１】
アームスプリングは、アームヘッド８ａの先端寄りとアームピース８ｃの基端寄りにそれぞれ連結されているため、ワイパブレード９を払拭面５０に押し付ける機能をもつ。
【００３２】
このような構造のワイパ装置１では、ブラケット３０が図示しない車体パネルに固定され、ワイパモータ２が図示しないワイパ制御回路に電気的に接続されて車両に搭載される。このとき、ワイパブレード９は、払拭面５０の復帰位置Ｅに停止している。
【００３３】
ワイパ制御回路に備えられたワイパスイッチがオン切換えされることにより、ワイパモータ２に通電されると、出力軸２ａが回転を始め、モータアーム１０が回転され、モータアーム１０の回転がリンクコンロッド１１を介して図３中時計方向であるピボットアーム１２の進み回動に変換され、駆動ピボット軸４が図３中時計方向に回動を始める。
【００３４】
駆動ピボット軸４が図３中時計方向に回動を始め、図４に示されるように、駆動アーム５が第１の位置Ａから位置Ａ１まで回動すると、従動アーム７が第３の位置Ｃから位置Ｃ１まで回動されてワイパアーム８が駆動アーム５とは反対の図３中反時計方向に揺動されることにより、ワイパブレード９が位置Ｅ１まで動く。
【００３５】
駆動ピボット軸４は、図４中時計方向に回動を続けるため、図５に示されるように、駆動アーム５が位置Ａ２まで回動すると、従動アーム７が位置Ｃ２まで回動されてワイパアーム８が駆動アーム５とは反対の図４中反時計方向に揺動されることにより、ワイパブレード９が位置Ｅ２まで動く。
【００３６】
駆動ピボット軸４は、図５中時計方向にさらに回動を続けるため、図６に示されるように、駆動アーム５が位置Ａ３まで回動すると、従動アーム７が位置Ｃ３まで回動されてワイパアーム８が駆動アーム５とは反対の図５中反時計方向に揺動されることにより、ワイパブレード９が位置Ｅ３まで動く。
【００３７】
そして、駆動ピボット軸４は、図６中時計方向にさらに回動を続けるため、図７に示されるように、駆動アーム５が第２の位置Ｂまで回動すると、従動アーム７が第４の位置Ｄまで回動されてワイパアーム８が駆動アーム５とは反対の図６中反時計方向に揺動されることにより、ワイパブレード９が反転位置Ｆに到達する。
【００３８】
ワイパブレード９が復帰位置Ｅから反転位置Ｆまで往動する際、ワイパアーム８は、駆動アーム５が駆動ピボット軸４よりも下方であって、駆動ピボット軸４を介して払拭面５０から離れた位置で回動されるため、ワイパブレード９が駆動ピボット軸４を中心として動く際の回動軌跡よりも駆動ピボット軸４に近付いて払拭面５０を拭うため、図７に示されるように、駆動ピボット軸４に近付いた払拭ゾーンＧをワイパブレード９が拭う。
【００３９】
ワイパブレード９が反転位置Ｆに到達したところで、ピボットアーム１２が図７中反時計方向である戻り回動を始めるため、駆動ピボット軸４は、図７中反時計方向に回動を始め、駆動アーム５が第２の位置Ｂから戻り回動を始め、従動アーム７が第４の位置Ｄから戻り回動を始めてワイパアーム８が駆動アーム５とは反対の図７中時計方向に揺動されることにより、ワイパブレード９が反転位置Ｆで反転される。
【００４０】
駆動ピボット軸４は、図７中反時計方向に回動するため、図６に示されるように、駆動アーム５が位置Ａ３まで戻り回動すると、従動アーム７が位置Ｃ３まで戻り回動されてワイパアーム８が駆動アーム５とは反対の図７中時計方向に揺動されることにより、ワイパブレード９が位置Ｅ３まで動く。
【００４１】
駆動ピボット軸４は、図６中反時計方向に戻り回動を続けるため、図５に示されるように、駆動アーム５が位置Ａ２まで戻り回動すると、従動アーム７が位置Ｃ２まで戻り回動されてワイパアーム８が駆動アーム５とは反対の図６中時計方向に揺動されることにより、ワイパブレード９が位置Ｅ２まで動く。
【００４２】
駆動ピボット軸４は、図５中反時計方向に戻り回動を続けるため、図４に示されるように、駆動アーム５が位置Ａ１まで戻り回動すると、従動アーム７が位置Ｃ１まで戻り回動されてワイパアーム８が駆動アーム５とは反対の図５中時計方向に揺動されることにより、ワイパブレード９が位置Ｅ１まで動く。
【００４３】
そして、駆動ピボット軸４は、図４中反時計方向にさらに戻り回動を続けるため、図３に示されるように、駆動アーム５が第１の位置Ａまで戻り回動され、従動アーム７が第３の位置Ｃまで戻り回動されてワイパアーム８が駆動アーム５とは反対の図４中時計方向に揺動されることにより、ワイパブレード９が復帰位置Ｅに戻り、以後、この動作が繰り返し行なわれる。
【００４４】
ワイパブレード９が反転位置Ｆから復帰位置Ｅまで復動する際、ワイパアーム８は、駆動アーム５が駆動ピボット軸４よりも下方であって、駆動ピボット軸４を介して払拭面５０から離れた位置で回動されるため、ワイパブレード９が駆動ピボット軸４を中心として動く際の回動軌跡よりも駆動ピボット軸４に近付いて払拭面５０を拭うため、図３に示されるように、駆動ピボット軸４に近付いた払拭ゾーンＧをワイパブレード９が拭う。
【００４５】
上述したように、駆動アーム５、従動アーム７、ワイパアーム８により形成された四接連鎖機構によって、駆動アーム５が払拭面５０から離れた駆動ピボット軸４の下方側で回動されることにより、ワイパアーム８が駆動ピボット軸４に近付きながら揺動され、その結果、ワイパブレード９が払拭面５０の駆動ピボット軸４寄りを拭うものとなる。
【００４６】
【発明の効果】
以上説明してきたように、この発明の請求項１、２、３、４に係わるワイパ装置によれば、駆動アーム、従動アーム、ワイパアームは四接連鎖機構を構成している。ワイパモータの動力により駆動ピボット軸が回動すると、駆動アームが回動され、この駆動アームの回動により、従動ピボット軸に結合された従動アームがワイパアームを介して回動され、ワイパアームが駆動アームの回動方向とは反対の方向に回動されてワイパブレードで払拭面を拭う。このとき、駆動アームが払拭面から離れた駆動ピボット軸の下方側で回動されることにより、ワイパアームが駆動ピボット軸に近付きながら揺動され、その結果、ワイパブレードが払拭面の駆動ピボット軸寄りを拭う。よって、拭き残しがなくなり、視界が確保されるという優れた効果を奏する。
【図面の簡単な説明】
【図１】この発明に係わるワイパ装置の一実施例の正面図である。
【図２】図１に示したワイパ装置の側面図である。
【図３】図１に示したワイパ装置の動作を説明する主要部分の正面図である。
【図４】図１に示したワイパ装置の動作を説明する主要部分の正面図である。
【図５】図１に示したワイパ装置の動作を説明する主要部分の正面図である。
【図６】図１に示したワイパ装置の動作を説明する主要部分の正面図である。
【図７】図１に示したワイパ装置の動作を説明する主要部分の正面図である。
【符号の説明】
１  ワイパ装置
４  駆動ピボット軸
５  駆動アーム
６  従動ピボット軸
７  従動アーム
８  ワイパアーム
９  ワイパブレード
５０  払拭面
【図１】
0004009398.tif 000002
【図２】
0004009398.tif 000003
【図３】
0004009398.tif 000004
【図４】
0004009398.tif 000005
【図５】
0004009398.tif 000006
【図６】
0004009398.tif 000007
【図７】
0004009398.tif 000008